(57)【要約】【目的】デジタルカメラの画像をプリントするプリントシステムの誤操作を防止する。【構成】プリントシステム１０では、デジタルカメラ１２がプリンタ１４にケーブルを介さずに一体で接続される。デジタルカメラ１２は、表示用ＬＣＤ１８をプリンタ１４の表面に露出して収納部１６に収納される。収納部１６からは遮蔽部材２８が延出してデジタルカメラ１２の操作ボタン４８を遮蔽している。これによって、接続時に操作ボタン４８が誤って操作されることが防止される。【選択図】  図１
2005052980.tif 000002
【特許請求の範囲】
【請求項１】
デジタルカメラと、
前記デジタルカメラがケーブルを介さずに一体で接続され、前記デジタルカメラから送信される画像データに基づいて収納された記録媒体に画像を記録するプリンタと、を備えるプリントシステムであって、
前記プリンタは、
前記デジタルカメラに設けられた表示画面を露出させて前記デジタルカメラを収容する収容部と、
前記収容部から延出し、前記デジタルカメラに設けられたカメラ側操作手段を遮蔽する遮蔽部材と、を有することを特徴とするプリントシステム。
【請求項２】
前記遮蔽部材の裏面から突出して前記デジタルカメラの表面に当接し、前記カメラ側操作手段と前記遮蔽部材との間に隙間を空ける突出部を有することを特徴とする請求項１に記載のプリントシステム。
【請求項３】
前記遮蔽部材には、前記カメラ側操作手段を直接操作するプリンタ側操作手段が設けられていることを特徴とする請求項１又は２に記載のプリントシステム。
【請求項４】
前記デジタルカメラが前記プリンタに接続されると、前記プリンタ側操作手段によって操作される前記カメラ側操作手段を、
画像の選択を行うための画像選択手段と、前記プリンタにプリントの指示を出すためのプリント指示手段と、に切換える制御手段を有することを特徴とする請求項３に記載のプリントシステム。
【発明の詳細な説明】
【０００１】
【発明の属する技術分野】
本発明は、デジタルカメラの画像を印刷するプリントシステムに関する。
【０００２】
【従来の技術】
デジタルカメラの表示画像をプリントするプリントシステムであって、デジタルカメラとプリンタを接続するためのケーブルを不要とするプリントシステムが考案されている。（例えば、特許文献１参照）
しかし、従来のプリントシステムは、デジタルカメラの操作ボタンが表面に露出していたので、誤って操作部を操作してしまう恐れがあった。
【０００３】
【特許文献１】
特開平１１−２９８７７６号公報
【０００４】
【発明が解決しようとする課題】
上述の事情に鑑み、本発明は、デジタルカメラがプリンタにケーブルを介さずに一体で接続されてデジタルカメラの画像を印刷するプリントシステムにおいて、デジタルカメラの誤操作を防止することを目的とするものである。
【０００５】
【課題を解決するための手段】
請求項１に記載のプリントシステムは、デジタルカメラと、前記デジタルカメラがケーブルを介さずに一体で接続され、前記デジタルカメラから送信される画像データに基づいて収納された記録媒体に画像を記録するプリンタと、を備えるプリントシステムであって、前記プリンタは、前記デジタルカメラに設けられた表示画面を露出させて前記デジタルカメラを収容する収容部と、前記収容部から延出し、前記デジタルカメラに設けられたカメラ側操作手段を遮蔽する遮蔽部材と、を有することを特徴とする。
【０００６】
請求項１に記載のプリントシステムでは、デジタルカメラが、ケーブルを介さずにプリンタに一体で接続され、デジタルカメラからプリンタに画像データが送信される。そして、プリンタは、送信された画像データに基づいて収納された記録媒体に画像を記録する。
【０００７】
デジタルカメラは、表示画面を露出させてプリンタの収容部に収容される。このため、デジタルカメラの表示画面を確認してプリントを行うことができる。
【０００８】
また、遮蔽部材が収容部から延出し、デジタルカメラのカメラ側操作手段を遮蔽している。このため、デジタルカメラがプリンタに接続されている時に、誤ってカメラ側操作手段を操作してしまうことがない。
【０００９】
請求項２に記載のプリントシステムは、請求項１に記載のプリントシステムであって、前記遮蔽部材の裏面から突出して前記デジタルカメラの表面に当接し、前記カメラ側操作手段と前記遮蔽部材との間に隙間を空ける突出部を有することを特徴とする。
【００１０】
請求項２に記載のプリントシステムでは、突出部が遮蔽部材の裏面から突出してデジタルカメラの表面に当接している。このため、カメラ側操作手段と遮蔽部材との間に隙間が空くので、デジタルカメラをプリンタに接続する際に、遮蔽部材でカメラ側操作手段を誤って押圧してしまうことがない。
【００１１】
請求項３に記載のプリントシステムは、請求項１又は２に記載のプリントシステムであって、前記遮蔽部材には、前記カメラ側操作手段を直接操作するプリンタ側操作手段が設けられていることを特徴とする。
【００１２】
請求項３に記載のプリントシステムでは、遮蔽部材にプリンタ側操作手段が設けられており、このプリンタ側操作手段が操作されるとカメラ側操作手段が操作される。このため、遮蔽部材によって遮蔽されているカメラ側操作手段を操作できる。
【００１３】
請求項４に記載のプリントシステムは、請求項３に記載のプリントシステムであって、前記デジタルカメラが前記プリンタに接続されると、前記プリンタ側操作手段によって操作される前記カメラ側操作手段を、画像の選択を行うための画像選択手段と、前記プリンタにプリントの指示を出すためのプリント指示手段と、に切換える制御手段を有することを特徴とする。
【００１４】
請求項４に記載のプリントシステムでは、デジタルカメラがプリンタに接続されると、カメラ側操作手段が、制御手段によって画像選択手段とプリント指示手段に切換えられる。このため、プリンタ側操作手段を操作して画像の選択を行ったり、プリンタにプリント指示を出すことができる。
【００１５】
【発明の実施の形態】
以下に図面を参照しながら本発明の第１の実施の形態について説明する。
【００１６】
図１に示すように、本発明のプリントシステム１０は、デジタルカメラ１２と、デジタルカメラ１２がケーブルを介さずに一体で接続されるプリンタ１４とで構成されている。デジタルカメラ１２には表示用ＬＣＤ１８に表示された画像をプリンタ１４にデジタル画像データとして送信するための通信ドライバ２０（図３参照）が備えられている。
【００１７】
プリンタ１４には、カードサイズのインスタントフィルムＦが１０枚収納されたフィルムパック（図示省略）が収納され、蛍光表示管プリントヘッド２２（図３参照）が、インスタントフィルムＦの感光面に面して設けられている。
【００１８】
また、プリンタ１４には、デジタルカメラ１２を収容する収容部１６が設けられている。この収容部１６に、デジタルカメラ１２が、表示用ＬＣＤ１８を上向きにして下面側から挿入される。収容部１６のデジタルカメラ１２の下面に面する壁面には、デジタルカメラ１２の下面に設けられたＵＳＢコネクタ２４に面してＵＳＢコネクタ２６が設けられており、デジタルカメラ１２が収容部１６に収容されると、ＵＳＢコネクタ２４と、ＵＳＢコネクタ２６とが接続される。
【００１９】
また、プリンタ１４の上面には電源ボタン３９、プリントボタン４２、及びコマ選択ボタン４４が設けられ、デジタルカメラ１２にはコマ選択やモード切換え等を行うための操作ボタン４８が表示用ＬＣＤ１８に隣接して設けられている。
【００２０】
ここで、デジタルカメラ１２の表示用ＬＣＤ１８に表示された画像をプリンタ１４で印刷する方法について説明する。
【００２１】
図２に示すように、デジタルカメラ１２がプリンタ１４に接続され、電源ボタン３９が押されてプリンタ１４の電源がオンになり、デジタルカメラ１２の電源もオンになっていると、プリンタ１４のＣＰＵ（以下、プリンタＣＰＵと言う）５４が、プリンタ１４の通信ドライバ（以下、プリンタ通信ドライバと言う）５２、デジタルカメラ１２の通信ドライバ２０（以下、デジカメ通信ドライバと言う）を介して、デジタルカメラ１２のＣＰＵ（以下、デジカメＣＰＵと言う）５０へ信号を送る（デジカメＣＰＵ５０、プリンタＣＰＵ５４、デジカメ通信ドライバ２０、プリンタ通信ドライバ５２は図３参照）。デジカメＣＰＵ５０は信号を受け取ると、メモリ４６に記憶された画像を表示用ＬＣＤ１８に、向きを上下反転させて表示する。
【００２２】
ここで、表示用ＬＣＤ１８は、プリンタ１４の上面に露出しており、プリントする画像を確認できるようになっている。また、デジタルカメラ１２は上下反対向きでプリンタ１４に接続されているが、プリントする画像の向きは上下反転されて正しい向きになっている。
【００２３】
プリンタ１４のコマ選択ボタン４４が操作されると、プリンタＣＰＵ５４からデジカメ通信ドライバ２０、プリンタ通信ドライバ５２を介してデジカメＣＰＵ５０へ信号が送られ、表示用ＬＣＤ１８に表示される画像が切換えられる。
【００２４】
そして、プリンタ１４のプリントボタン４２が操作されると、プリンタＣＰＵ５４からデジカメ通信ドライバ２０、プリンタ通信ドライバ５２を介してデジカメＣＰＵ５０へ信号が送られる。デジカメＣＰＵ５０は、この信号を受け取ると、表示用ＬＣＤ１８に表示されている画像の画像データをデジカメ通信ドライバ５２、プリンタ通信ドライバ２０を介してプリンタＣＰＵ５４へ送信する。
【００２５】
画像データは、プリンタＣＰＵ５４で伸長や色変換等のプリントに必要な処理を行われて、プリントヘッドドライバ５６（図３参照）に送られる。プリントヘッドドライバ５６は、画像データに基づいて蛍光表示管プリントヘッド２２を３回走査させ、Ｒ、Ｇ、Ｂの光をインスタントフィルムＦの感光面に照射し、画像を結像させる。そして、プリンタＣＰＵ５４によって排出モータ５８（図３参照）が作動され、プリント済みのインスタントフィルムＦが展開、排出される。
【００２６】
ここで、デジタルカメラ１２の表示用ＬＣＤ１８に隣接して設けられた操作ボタン４８は、収容部１６の壁面からプリンタ１４の上面に沿って延出した板状の遮蔽部材２８によって遮蔽されている。このため、デジタルカメラ１２がプリンタ１４に接続されている時に、操作ボタン４８が誤って操作されてしまうことがない。
【００２７】
なお、図４に示すように、表示用ＬＣＤ１８のみ露出させ、表示用ＬＣＤ１８以外の全面を遮蔽部材２８で覆うようにしても良い。
【００２８】
次に、本発明の第２の実施の形態について説明する。なお、第１の実施の形態と同一の構成には同一の符号を付し、説明は省略する。
【００２９】
図５に示すように、プリントシステム４０では、遮蔽部材２８の裏面からデジタルカメラ１２の挿入方向（図中矢印方向）に沿ってリブ２８Ａが延出している。このリブ２８Ａは、挿入されるデジタルカメラ１２の表示用ＬＣＤ１８の近傍に当接し、遮蔽部材２８と操作ボタン４８との間に隙間を空ける。これによって、デジタルカメラ１２をプリンタ１４に装着する際に、遮蔽部材２８によって操作ボタン４８が押圧されてしまうことがない。
【００３０】
次に、本発明の第３の実施の形態について説明する。なお、第１、第２の実施形態と同一の構成には同一の符号を付し、説明は省略する。
【００３１】
図６に示すように、プリントシステム６０は、デジタルカメラ６２と、デジタルカメラ６２がケーブルを介さずに一体で接続されるプリンタ６４とで構成されている。
【００３２】
プリンタ６４には、デジタルカメラ６２を収容する収容部６６が設けられている。この収容部６６に、デジタルカメラ６２が、表示用ＬＣＤ１８を前面に向け、下面を下向きにして挿入される。ここで、デジタルカメラ６２は下部のみ収容部６６に収容され、上部に設けられた表示用ＬＣＤ１８は露出している。
【００３３】
収容部６６の底面には、デジタルカメラ６２の下面に設けられたＵＳＢコネクタ２４に面してＵＳＢコネクタ２６が設けられており、デジタルカメラ６２が収容部６６に収容されると、ＵＳＢコネクタ２４とＵＳＢコネクタ２６とが接続される。
【００３４】
また、デジタルカメラ６２には、表示用ＬＣＤ１８の下方にＤＩＳＰボタン６８、ＭＥＮＵボタン７０、ＢＡＣＫボタン７２、及び電源ボタン７４が設けられている。これらのボタンを遮蔽する収容部６６の遮蔽壁６６Ａには、電源ボタン７６と、ＤＩＳＰボタン６８、ＭＥＮＵボタン７０に面したコマ選択ボタン７８、及びＢＡＣＫボタン７２に面したプリントボタン８０が設けられている。
【００３５】
図７に示すように、コマ選択ボタン７８の裏面からＤＩＳＰボタン６８、ＭＥＮＵボタン７０へ向かって、また、プリントボタン８０の裏面からＢＡＣＫボタン７２へ向かって押圧ピン８２が突出している。
【００３６】
ここで、デジタルカメラ６２の表示用ＬＣＤ１８に表示された画像をプリンタ６４で印刷する方法について説明する。
【００３７】
図８に示すように、デジタルカメラ６２がプリンタ６４に接続され、電源ボタン７６が押されてプリンタ６４の電源がオンになり、デジタルカメラ６２も電源ボタン７４が押されて電源がオンになっていると、プリンタ６４のＣＰＵ（以下、プリンタＣＰＵと言う）８４が、プリンタ通信ドライバ５２、デジカメ通信ドライバ２０を介して、デジタルカメラ１２のＣＰＵ（以下、デジカメＣＰＵと言う）９０へ信号を送る（プリンタＣＰＵ８４、デジカメＣＰＵ８６、デジカメ通信ドライバ２０、プリンタ通信ドライバ５２は図９参照）。デジカメＣＰＵ８６は信号を受け取ると、表示用ＬＣＤ１８にメモリ４６に記憶された画像を表示する。
【００３８】
また、デジカメＣＰＵ８６は、信号を受け取ると、ＤＩＳＰボタン６８、及びＭＥＮＵボタン７０をコマ選択を行うためのキーに、ＢＡＣＫボタン７２をプリント指示するためのキーに切換える。
【００３９】
このため、プリンタ６４のコマ選択ボタン７８が押圧され、ＤＩＳＰボタン６８、又はＭＥＮＵボタン７０が押圧ピン８２（図７参照）によって連動して押圧されると、デジカメＣＰＵ８６は、表示用ＬＣＤ１８の画像のコマ選択を行う。
また、プリンタ６４のプリントボタン８０が押圧され、ＢＡＣＫボタン７２が押圧ピン８２によって連動して押圧されると、デジカメＣＰＵ８６は、表示用ＬＣＤ１８に表示されている画像の画像データをデジカメ通信ドライバ２０、プリンタ通信ドライバ５２を介してプリンタＣＰＵ８４に送信する。
【００４０】
画像データは、プリンタＣＰＵ８４で伸長や色変換等のプリントに必要な処理を行われて、プリントヘッドドライバ５６（図８参照）に送られる。プリントヘッドドライバ５６は、画像データに基づいて蛍光表示管プリントヘッド２２を３回走査させ、Ｒ、Ｇ、Ｂの光をインスタントフィルムＦの感光面に照射し、画像を結像させる。そして、プリンタＣＰＵ５４によって排出モータ５８（図８参照）が作動され、プリント済みのインスタントフィルムＦが展開、排出される。
【００４１】
なお、遮蔽壁６６Ａに設けられたコマ選択ボタン７８、プリントボタン８０を、ＤＩＳＰボタン６８、ＭＥＮＵボタン７０、及びＢＡＣＫボタン７２よりも大型にすればより押し易くなり、誤操作を防止できる。
【００４２】
【発明の効果】
本発明は上記構成としたので、デジタルカメラがプリンタにケーブルを介さずに一体で接続されてデジタルカメラの画像を印刷するプリントシステムにおいて、デジタルカメラの誤操作を防止できる。
【図面の簡単な説明】
【図１】本発明の第１の実施形態に係るプリントシステムを示す斜視図である。
【図２】本発明の第１の実施形態に係るプリントシステムを示す斜視図である。
【図３】本発明の第１の実施形態に係るプリントシステムの回路図である
【図４】本発明の第１の実施形態に係るプリントシステムを示す斜視図である。
【図５】本発明の第２の実施形態に係るプリントシステムを示す斜視図である。
【図６】本発明の第３の実施形態に係るプリントシステムを示す斜視図である。
【図７】本発明の第３の実施形態に係るプリントシステムを示す断面図である。
【図８】本発明の第３の実施形態に係るプリントシステムを示す斜視図である。
【図９】本発明の第３の実施形態に係るプリントシステムの回路図である
【符号の説明】
１０    プリントシステム
１２    デジタルカメラ
１４    プリンタ
１６    収容部
１８    表示用ＬＣＤ（表示画面）
２８    遮蔽部材
２８Ａ  リブ（突出部）
４０    プリントシステム
６０    プリントシステム
６２    デジタルカメラ
６４    プリンタ
６６    収納部
６６Ａ  遮蔽壁（遮蔽部材）
４８    操作ボタン（カメラ側操作手段）
６８    ＤＩＳＰボタン（カメラ側操作手段）
７０    ＭＥＮＵボタン（カメラ側操作手段）
７２    ＢＡＣＫボタン（カメラ側操作手段）
７８    コマ選択ボタン（プリンタ側操作手段）
８０    プリントボタン（プリンタ側操作手段）
８６    ＣＰＵ（制御手段）
Ｆ      インスタントフィルム（記録媒体）
【図１】
2005052980.tif 000003
【図２】
2005052980.tif 000004
【図３】
2005052980.tif 000005
【図４】
2005052980.tif 000006
【図５】
2005052980.tif 000007
【図６】
2005052980.tif 000008
【図７】
2005052980.tif 000009
【図８】
2005052980.tif 000010
【図９】
2005052980.tif 000011